(57)【要約】【課題】回路基板に対するコネクタの接続信頼性を高めることのできる電気機器を提供する。【解決手段】電気機器において、パネル１４により形成され回路基板１５を収容する筐体１３と、パネル１４に形成されるコネクタ用開口部と、回路基板１５に接続部を介して電気的に接続され接続部を導出する本体部１８にはコネクタ用開口部よりも大きい外形の座面２５が形成され、かつ、座面２５にはコネクタ用開口部に挿通されて筐体外部２６に突出する相手コネクタ接続部２７が形成されるコネクタ１１と、筐体１３の内部のパネル内面に基端部３１が固定されて先端部１６が自由端となり先端部１６が本体部１８の座面２５と反対側の被規制面に当接する規制板３２と、を設けた。規制板３２は、相手コネクタの結合により生じる応力よりも大きい弾性限度の弾性を有することが好ましい。【選択図】図１
2013004259.tif 000002
【特許請求の範囲】
【請求項１】
パネルにより形成され回路基板を収容する筐体と、
前記パネルに形成されるコネクタ用開口部と、
前記回路基板に接続部を介して電気的に接続され該接続部を導出する本体部には前記コネクタ用開口部よりも大きい外形の座面が形成され、かつ、該座面には前記コネクタ用開口部に挿通されて筐体外部に突出する相手コネクタ接続部が形成されるコネクタと、
筐体内部のパネル内面に基端部が固定されて先端部が自由端となり該先端部が前記本体部の前記座面と反対側の被規制面に当接する規制板と、
を具備する電気機器。
【請求項２】
請求項１に記載の電気機器において、
前記規制板が、相手コネクタの結合により生じる応力よりも大きい弾性限度の弾性を有する電気機器。
【請求項３】
請求項１または請求項２に記載の電気機器において、
前記規制板が、前記筐体の背面パネル内面に固定されている電気機器。
【発明の詳細な説明】
【技術分野】
【０００１】
本発明は、照明器具の調光操作を行う調光操作卓等の電気機器に関する。
【背景技術】
【０００２】
電気機器には、他の装置と電気的に接続するためのコネクタを装備するものが多くある。例えば、スポットライト等の多数の照明器具をコンピュータにより調光操作する場合に使用される調光操作卓には、左右方向に増設できるようにしたものが知られている（例えば、特許文献１参照）。図４に示すように、この種の調光操作卓１００は、筐体１０１が、側面視台形状の扁平な箱状に形成される。筐体１０１の上面には図示しない複数の操作ボタンが配置される操作部１０２がほぼ全面に設けられる。筐体１０１の内部には図５（Ａ）に示す回路基板１０３が収容され、回路基板１０３は支持柱１０４によって筐体１０１の底パネル１０５に固定されている。
【０００３】
回路基板１０３にはコネクタ１０６が実装される。コネクタ１０６は、本体部１０７から導出されるバスバーが回路基板１０３の導体部に半田付けされる半田付け部１０８で固定されることにより、回路基板１０３に実装される。本体部１０７のバスバー導出側と反対側には、相手コネクタ接続部１０９が突出して設けられている。本体部１０７には、相手コネクタ接続部１０９を挟んで両側に、図示しない相手コネクタからの固定ボルトがねじ込まれるナット部１１０が設けられる。筐体１０１の背面パネル１１１には、コネクタ１０６を実装した回路基板１０３が正規に位置決め固定された状態で、本体部１０７の外形と一致して本体部１０７を内方に配置して表出させるコネクタ用開口部１１２が形成されている。
【０００４】
回路基板１０３が筐体１０１に固定されると、コネクタ１０６がコネクタ用開口部１１２に一致し、コネクタ用開口部１１２からは相手コネクタ接続部１０９と、ナット部１１０とが表出する。図示しないケーブルの末端に接続された相手コネクタが、相手コネクタ接続部１０９に結合され、相手コネクタに設けられた図示しない固定ボルトがナット部１１０にねじ込まれることで、相手コネクタを離脱不能に固定することができた。
【先行技術文献】
【特許文献】
【０００５】
【特許文献１】特開２００１−５２５１１号公報（図１〜図３、段落０００６〜００１０）
【発明の概要】
【発明が解決しようとする課題】
【０００６】
しかしながら、従来のコネクタ１０６を回路基板１０３に半田付け実装しただけの固定では、コネクタ１０６にケーブルを接続した場合、ケーブルによる荷重をコネクタ１０６と回路基板１０３の半田付け部１０８のみで受けることになる。その結果、半田付け部１０８の破損を招く虞があった。また、コネクタ自身を調光操作卓１００の筐体１０１に固定することにより、外部からの荷重に耐える方策も考えられる。この場合、コネクタ１０６、回路基板１０３、筐体１０１の相対位置を高精度に保つことが重要となる。これらの部材同士の位置に誤差が生じると、応力がコネクタ１０６の接続部における半田付け部１０８に常時与えられることになり、接続部の寿命を短くしてしまう虞がある。
【０００７】
本発明は上記状況に鑑みてなされたもので、その目的は、回路基板に対するコネクタの接続信頼性を高めることのできる電気機器を提供することにある。
【課題を解決するための手段】
【０００８】
本発明の電気機器は、パネルにより形成され回路基板を収容する筐体と、前記パネルに形成されるコネクタ用開口部と、前記回路基板に接続部を介して電気的に接続され該接続部を導出する本体部には前記コネクタ用開口部よりも大きい外形の座面が形成され、かつ、該座面には前記コネクタ用開口部に挿通されて筐体外部に突出する相手コネクタ接続部が形成されるコネクタと、筐体内部のパネル内面に基端部が固定されて先端部が自由端となり該先端部が前記本体部の前記座面と反対側の被規制面に当接する規制板と、を具備するものである。
【０００９】
また、本発明の電気機器は、前記規制板が、相手コネクタの結合により生じる応力よりも大きい弾性限度の弾性を有するものである。
【００１０】
さらに、本発明の電気機器は、前記規制板が、前記筐体の背面パネル内面に固定されているものである。
【発明の効果】
【００１１】
本発明に係る電気機器によれば、相手コネクタのケーブルの自重によっても、コネクタを回路基板から外すような力が接続部に作用しなくなるので、回路基板に対するコネクタの接続信頼性を高めることができる。
【図面の簡単な説明】
【００１２】
【図１】電気機器本発明に係る実施形態の要部拡大断面図
【図２】図１に示したコネクタを筐体内部から見た正面図
【図３】図１に示したコネクタを筐体外部から見た正面図
【図４】（Ａ）は従来の電気機器の平面図、（Ｂ）は（Ａ）の電気機器を背面側から見た倒立の正面図、（Ｃ）は（Ａ）の左側面図、（Ｄ）は（Ａ）を前方から見た正面図
【図５】（Ａ）は図４に示した電気機器のコネクタ固定部の要部拡大断面図、（Ｂ）は（Ａ）のコネクタを筐体外部から見た正面図
【発明を実施するための形態】
【００１３】
以下、本発明に係る実施形態について、図面を用いて説明する。
図１は電気機器本発明に係る実施形態の要部拡大断面図、図２は図１に示したコネクタを筐体内部から見た正面図、図３は図１に示したコネクタを筐体外部から見た正面図である。
本発明に係る電気機器は、例えば調光操作卓１０として好適に用いることができる。本実施形態では、電気機器が調光操作卓１０である場合を例に説明する。
調光操作卓１０は、通常コンピュータを備えていて、図示しない監視画像表示器を有した監視用表示装置の前方にコネクタ１１で接続されて設置される。調光操作卓１０は、操作部１２のフェーダ等を操作してリハーサルで決めた明かりをシーン別にコンピュータに記憶させておき、そのシーンをオンエアの時に再生する。また、この再生時に必要に応じてオペレータのフェーダ操作等により、スタジオでの照明負荷（照明器具）の明るさを修正する等の制御を担っている。オペレータは、接続した監視表示装置の監視画像表示器を視認して、テレビ番組毎に異なる修正操作を行う。
【００１４】
調光操作卓１０は、筐体１３が、パネル１４により扁平の箱状に形成されている。筐体１３は、側面視が台形状となり、前方（図１の左方）に向かって傾斜した上面には、複数のフェーダ等を配置した操作部１２が設けられる。筐体１３の内部には回路基板１５が収容される。回路基板１５には、上記の操作部１２が接続される他、演算装置としての図示しないＣＰＵ、メモリや、コネクタ１１が実装される。
【００１５】
コネクタ１１は、接続部であるバスバー１７を導出する本体部１８が絶縁性樹脂材により形成される。コネクタ１１の実装される回路基板１５は、支持柱１９によって筐体１３の底パネル２０に固定されている。コネクタ１１は、本体部１８から導出されるバスバー１７が回路基板１５の導体部に半田付け部２１で固定される。コネクタ１１は、バスバー１７が半田付け部２１で固定されることで、回路基板１５に実装される。
【００１６】
筐体１３の背面パネル２２には、コネクタ１１に対応して図３に示す矩形状のコネクタ用開口部２３が形成されている。また、背面パネル２２には、このコネクタ用開口部２３を挟む左右に円形状のナット表出孔２４が形成されている。
【００１７】
本体部１８のバスバー導出側と反対側には、コネクタ用開口部２３よりも大きい外形の座面２５が形成される。
なお、座面２５は、本体部１８に特別に形成するものでなくてもよい。市販品コネクタのブロック状に形成される本体部１８の一側面を利用してもよい。
【００１８】
座面２５には、コネクタ用開口部２３に挿通されて筐体外部２６に突出する相手コネクタ接続部２７が形成される。相手コネクタ接続部２７は、金属製のフード部２８を有する。フード部２８の内側には、複数の端子が縦横に配列して設けられる。本体部１８の相手コネクタ接続部２７を挟んで両側にはナット部２９が設けられ、ナット部２９はナット表出孔２４と一致する。従って、ナット部２９には図示しない相手コネクタの固定ボルトが筐体外部２６からねじ込み可能となっている。
【００１９】
筐体１３の内部のパネル内面には、基端部３１が固定されて先端部１６が自由端となる規制板３２が設けられる。規制板３２は、短冊状に形成された素板の長手方向両端を平行な基端部３１と先端部１６とし、この基端部３１と先端部１６とを傾斜部３３によって接続したＺ字状に形成できる。規制板３２の基端部３１は、筐体１３の背面パネル内面３４に、例えばボルト３５とナット３６等によって固定される。この他、規制板３２は、加締め構造、リベット、溶接やロー付け等によって固定されてもよい。規制板３２の先端部１６は、本体部１８の座面２５と反対側の被規制面３７に当接する。本実施形態では、本体部１８の長手方向両側に被規制面３７が形成され、それぞれの被規制面３７に、単独の規制板３２が当接している。つまり、二つの規制板３２が用いられている。
なお、規制板３２は、二つの先端部１６を備えた単独の部材であってもよい。
【００２０】
規制板３２は、図示しない相手コネクタの結合により生じる応力よりも大きい弾性限度の弾性を有する。規制板３２の材質としては、ばね性を有する金属板、例えばりん青銅等を用いることができる。
【００２１】
次に、上記構成を有する調光操作卓１０の作用を説明する。
調光操作卓１０では、相手コネクタ接続部２７に、図示しない相手コネクタが接続されると、相手コネクタに接続されているケーブルの自重がコネクタ１１に加わる。コネクタ１１に加わった荷重は、コネクタ１１を筐体外部２６へ引き出そうとする力となる。コネクタ１１に筐体外部２６へ引き出そうとする力が加わると、コネクタ１１は、本体部１８の座面２５が背面パネル内面３４に当接する。さらに引き出そうとする力が加わっても、本体部１８が座面２５からの反力によって引き出し方向へは移動せず、コネクタ１１と回路基板１５とを接続する接続部には外力の作用することが抑制される。すなわち、半田付け部２１に過大な外力の加わることが抑制される。これにより、コネクタ１１は、外部から受ける荷重に対し、耐力を向上させることができる。
【００２２】
一方、相手コネクタ接続部２７に相手コネクタが結合されるとき、コネクタ１１には筐体１３の内方へ押し込まれる方向（図１の左方向）の外力が加わる。この際、本体部１８は、被規制面３７に当接した規制板３２からの反力を受け、押し込み方向には移動しない。つまり、半田付け部２１には、コネクタ結合による外力が作用しない。これに加え、各部品の製造公差により生じているコネクタ１１の座面２５と背面パネル内面３４との変位は、規制板３２が弾性変形することにより吸収される。従って、座面２５が常に背面パネル内面３４に当接する。これにより、公差の積み上げによる変位を吸収でき、本体部１８をがたつき無く良好に組み立てることができる。
【００２３】
さらに、筐体１３が扁平の箱状に形成される調光操作卓１０である場合、一般的に上面が操作面となる。この場合、本実施形態のように、コネクタ１１を背面パネル２２に設ければ、筐体１３の前方に操作者が位置するので、操作者の最も操作の邪魔とならない背面パネル２２にケーブルを接続できる。これにより、操作性が良好で、しかも、コネクタ１１の接続信頼性が高い電気機器を得ることができる。
【００２４】
従って、本実施形態に係る調光操作卓１０によれば、相手コネクタのケーブルの自重によっても、コネクタ１１を回路基板１５から外すような力が接続部であるバスバー１７や半田付け部２１に作用しなくなるので、回路基板１５に対するコネクタ１１の接続信頼性を高めることができる。
【符号の説明】
【００２５】
１１  コネクタ
１３  筐体
１４  パネル
１５  回路基板
１６  先端部
１７  バスバー（接続部）
１８  本体部
２３  コネクタ用開口部
２５  座面
２６  筐体外部
２７  相手コネクタ接続部
３１  基端部
３２  規制板
３４  背面パネル内面
３７  被規制面
【図１】
2013004259.tif 000003
【図２】
2013004259.tif 000004
【図３】
2013004259.tif 000005
【図４】
2013004259.tif 000006
【図５】
2013004259.tif 000007